Podtech/llm-jp-corpus-v4-ja_patent huggingface dataset:
(57)【要約】【課題】救難活動時に遺体を収納した状態で搬送するために、足場の悪い場所でも使用でき、しかも、遺体を確実に収納でき、その上、防水機能を有する人体収納袋を提供すること。【解決手段】  平面視長方形の袋本体５を、防水シート２，３より形成し、袋本体のうちＬ字状に屈曲する二辺縁部を、スライドファスナー４で開閉可能に設けてあることを特徴とする人体収納袋。袋本体の四辺縁部に亘って鳩目金具を固定する。防水シートがポリエステル繊維の織布の表裏面に塩化ビニルをコーティングしてある三層構造である。【選択図】      図１
0003125371.tif 000002
【実用新案登録請求の範囲】
【請求項１】
平面視長方形の袋本体（５）を、防水シート（２，３）より形成し、袋本体（５）のうちＬ字状に屈曲する二辺縁部を、スライドファスナー（４）で開閉可能に設けてあることを特徴とする人体収納袋。
【請求項２】
袋本体（５）の四辺縁部に亘って鳩目金具（６）を間隔をあけて固定してあることを特徴とする請求項１記載の人体収納袋。
【請求項３】
防水シート（２，３）がポリエステル繊維の織布の表裏面に塩化ビニルをコーティングしてある三層構造であることを特徴とする請求項１又は２記載の人体収納袋。
【考案の詳細な説明】
【技術分野】
【０００１】
本考案は主に救難活動時に遺体を収納した状態で搬送するための人体収納袋に関する。
【背景技術】
【０００２】
災害や事件によって死者が出た場合、遺体を現場から搬送するために、遺体を載せた担架をシートで包む方法が一般的に用いられている。しかしながら、足場の悪い場所、例えば山岳地帯等では担架を使うことができないことも多いし、搬送時の不意の出来事でシートがめくれることもある。また、遺体や担架が雨等で濡れると、遺体の取り扱いが不適切であるし、重くなって搬送が大変になる。
【考案の開示】
【考案が解決しようとする課題】
【０００３】
本考案は上記実情を考慮して創作されたものであり、その解決課題は、足場の悪い場所でも使用でき、しかも、遺体を確実に収納でき、その上、防水機能を有する人体収納袋を提供することである。
【課題を解決するための手段】
【０００４】
請求項１の発明は、平面視長方形の袋本体を、防水シートより形成し、袋本体のうちＬ字状に屈曲する二辺縁部を、スライドファスナーで開閉可能に設けてあることを特徴とする。
【０００５】
防水シートの強度を向上するには、請求項２の発明のように、袋本体の四辺縁部に亘って鳩目金具を間隔をあけて固定してあることが望ましい。なお、スライドファスナーを設けた二辺の縁部に鳩目金具を設ける場合は、その袋本体内に遺体を出し入れするために、表側の防水シートと裏側の防水シートに別々に鳩目金具を設ける必要があるが、残りの二辺の縁部に鳩目金具を設ける場合は、表側の防水シートと裏側の防水シートを鳩目金具でまとめて固定しても良いし、表側と裏側に別々の鳩目金具を設けても良い。
【０００６】
防水シートは、防水機能だけでなく耐久性も高いことが望ましい。それには、請求項３の発明のように、防水シートは、ポリエステル繊維の織布の表裏面に塩化ビニルをコーティングしてある三層構造とする。
【考案の効果】
【０００７】
人体収納袋内に遺体を収容すれば、足場の悪い場所でも人が背負って搬送できる。また、袋であるので、遺体を全周囲から覆い隠すことができ、しかも、スライドファスナーを平面視矩形をなす袋本体の二辺にＬ字状に亘って設けてあるので、袋本体を大きく開くことができ、遺体を丁寧に出し入れできる。さらに、防水シートを用いているので、雨水に遺体が濡れずにすむ。
【０００８】
また、鳩目金具によって袋本体の強度が向上し、搬送時に破損し難くなるし、鳩目金具に通した紐を利用して、搬送器具に強固に固定することもできる。
【０００９】
さらに、防水シートがポリエステル繊維の織布の表裏面に塩化ビニルをコーティングしてある三層であるので、防水性だけでなく、耐久性も高い有用なものと言える。
【考案を実施するための最良の形態】
【００１０】
人体収納袋１は図１、図２に示すように、二枚とも同じ大きさの矩形の防水シート２、３を上下に重ね合わせ、重ね合わせた防水シート２，３の四辺のうちＬ字状に連続する二辺縁部を縫い合わせ、残りの二辺にスライドファスナー４を固定して、開閉可能な袋本体５としてある。また、二枚分の防水シートを半分に折り畳んで、同様に袋本体５を形成しても良い。
【００１１】
袋本体５は、その四辺縁部の内側に沿って間隔をあけて鳩目金具６をかしめて固定してある。縫い合わせた二辺縁部の内側に設けた鳩目金具６は、二枚の防水シート２，３を貫通して止めてある。一方、スライドファスナー４を設けた二辺縁部の内側に設けた鳩目金具６は、一枚の各防水シート２，３のみを貫通して止めてある。
【００１２】
防水シート２，３は何れも、ポリエステル繊維の織布の表裏面全域に、塩化ビニルをコーティングしてある三層構造である。
【００１３】
袋本体の寸法は問わないが、標準的な成人男性を余裕を持って収納できる程度、例えば縦：２２００ｍｍ、横：９００ｍｍとする。
【図面の簡単な説明】
【００１４】
【図１】開いた状態の人体収納袋を示す平面図である。
【図２】（イ）（ロ）図は、図１のＡ−Ａ線拡大断面図、Ｂ−Ｂ線拡大断面図である。
【符号の説明】
【００１５】
１人体収納袋、２防水シート、３防水シート、４スライドファスナー、５袋本体、
６鳩目金具
【図１】
0003125371.tif 000003
【図２】
0003125371.tif 000004
(57)【要約】【課題】簡単な構造で、強風を受けたり激しい操作を行っても竿本体に道糸が絡むことを確実に防止することができる釣竿を提供する。【解決手段】チューブ２はビニール又はゴム製の可撓自在な管状であり、外側を竿本体１に添って接着し、内部に道糸５を挿通して使用する。具体的には、竿本体１の長手方向上面の手元から約三分の一程度の部位まで、竿の強度を弱めない深さに断面半円弧形の溝条１ａを形成して、その溝条１ａに弾力性のあるビニール又はゴム製のチューブ２を接着固定する。竿本体１の残り３分の２の部分にはチューブ２を添わせて先端まで接着する。【選択図】  図１
0003125332.tif 000002
【実用新案登録請求の範囲】
【請求項１】
竿本体の長手方向上面又は下面に、道糸を挿通案内する可撓性のあるチューブを設けたことを特徴とする釣竿。
【考案の詳細な説明】
【技術分野】
【０００１】
本考案は、釣竿に関し、とくに竿本体に道糸が絡むことを防止できる釣竿に関するものである。
【背景技術】
【０００２】
一般に、投げ釣用の釣竿には、図４に示すように、道糸５を案内するリング状のガイド６が必要箇所に複数個取付けられている。そして、道糸５は各ガイド６を挿通する構造になっている。
【０００３】
ところで、道糸が撚れていない場合には道糸は穂先に絡むことが少ないが、撚れて来ると、道糸が穂先に絡みやすくなってしまい、絡んだ状態で魚を釣り上げようとすると、大きな力が穂先のロッドの中間部に作用して、穂先を折損させるという不都合があった。また、竿が強風を受けたり激しい操作を行うと道糸が竿に絡んでしまうという問題があった。
【０００４】
そこで、釣竿の先端に、道糸が挿通される管状の道糸支持部を有する穂先用フレキシブルガイド（特許文献１参照。）や釣糸絡み付き防止ジョイント部を備えた中通し釣竿（特許文献２参照。）等が提案されている。
【０００５】
【特許文献１】特開平９−１９１８００号公報
【特許文献２】特開平１１−８９４８２号公報
【考案の開示】
【考案が解決しようとする課題】
【０００６】
本考案もまた上記のような従来技術の問題点に鑑みてなされたものであり、簡単な構造で、竿本体に道糸が絡むことを確実に防止することができる釣竿を提供することを目的とする。
【課題を解決するための手段】
【０００７】
このため本考案の釣竿は、竿本体の長手方向上面又は下面に、道糸を挿通案内する可撓性のあるチューブを設けたことを特徴とする。
【考案の効果】
【０００８】
本考案によれば、竿が強風を受けたり激しい操作を行っても道糸が竿本体に絡まない。また、チューブを接着することにより中通し竿に比べて竿の強度を増強することができる。
【考案を実施するための最良の形態】
【０００９】
以下、本考案の実施の形態を図面に示す実施例に基づいて説明する。
図１は本考案に係る釣竿を示す斜視図、図２は本考案に係る釣竿の要部側面図、図３は図２（ｂ）のＡ−Ａ線拡大断面図、図４は従来の釣竿を示す斜視図である。
【実施例】
【００１０】
図１乃至図３は本考案の釣竿の一実施例を示しており、従来の釣竿と同一部分には同一の参照符号を付してある。
【００１１】
本実施に用いられているチューブ２はビニール又はゴム製等の可撓自在な管状であり、外側を竿本体１に添って接着し、内部に道糸５を挿通して使用される。尚、図中７はリールである。
【００１２】
具体的には、竿本体１の長手方向上面の手元から約三分の一程度の部位まで、竿の強度を弱めない深さに断面半円弧形の溝条１ａを形成して、その溝条１ａに弾力性のあるビニール又はゴム製のチューブ２を接着固定する。竿本体１の残り３分の２の部分にはチューブ２を添わせて先端まで接着する。
【００１３】
道糸５が挿通されるチューブ２の先端および後端には、それぞれ合成樹脂製または金属製の道糸導出ガイドパイプ４および道糸導入ガイドパイプ３が接着されている。道糸導入ガイドパイプ３の後端側は内径が徐々に拡がるテーパ状とされており、先端側はチューブ２に嵌合接続されるようになっている。また、道糸導出ガイドパイプ４も道糸導入ガイド３と本体部分は同様に形成されており、先端側はチューブ２に嵌合接続される。
【００１４】
そして、道糸導入ガイドパイプ３及び道糸導出ガイドパイプ４は、夫々固定金具７及び８により竿本体１の穂先及び中間部に固定される。このように構成された本考案の釣竿は、竿本体の撓りに倣ってチューブが弾力的に変形すると共に、真直状態にも復元し、道糸５が竿本体１に絡むのを確実に防止する。特に、竿が強風を受けたり激しい操作を行っても道糸が竿本体１に絡むことはない。
【図面の簡単な説明】
【００１５】
【図１】本考案に係る釣竿を示す斜視図である。
【図２】本考案に係る釣竿の要部側面図である。
【図３】図２（ｂ）のＡ−Ａ線拡大断面図である。
【図４】従来の釣竿を示す斜視図である。
【符号の説明】
【００１６】
１    釣竿本体
１ａ  溝条
２    チューブ
３    道糸導入ガイドパイプ
４    道糸導出ガイドパイプ
５    道糸
６    リング状ガイド
７    リール
８    固定金具（中間）
９    固定金具（穂先）
【図１】
0003125332.tif 000003
【図２】
0003125332.tif 000004
【図３】
0003125332.tif 000005
【図４】
0003125332.tif 000006
(57)【要約】【課題】画一形状の摘からの脱却を図る。【解決手段】椀１と椀蓋２とから成る蓋付椀であって、蓋本体部３の上面に凹孔４を穿設し、該凹孔４に摘５を嵌着して椀蓋２と成し、蓋本体部３と摘５を別体にすることによって、個別に成型可能にして、複雑形状の摘５に対応容易にすると共に、摘５を取替え可能にして、デザイン展開を拡張する。【選択図】図１
0003125340.tif 000002
【実用新案登録請求の範囲】
【請求項１】
椀と椀蓋とから成る蓋付椀であって、蓋本体部の上面に凹孔を穿設し、該凹孔に摘を嵌着して椀蓋としたことを特徴とする蓋付椀。
【請求項２】
摘本体部の下端にピン部を垂下突設して摘と成し、前記ピン部を上記凹孔に嵌着したことを特徴とする請求項１記載の蓋付椀。
【請求項３】
ピン部の基端に鍔部を設けたことを特徴とする請求項２記載の蓋付椀。
【考案の詳細な説明】
【技術分野】
【０００１】
本考案は、椀と椀蓋とから成る蓋付椀に関する。
【背景技術】
【０００２】
日本の食文化において、装飾はとても重要で、従来より、料理自体の他、椀や皿など食器類にも工夫を凝らし、料理を飾ることで、料理を引き立て、より美味しく、また楽しく食事させる様にしてきた。
なかでも、汁椀は、漆を塗り、その柔和で深みのある色艶にて優しい美観を醸しだしたり、螺鈿、金絵付け等の伝統的装飾技法により、日本古来の伝統美を継承し、その他にも形状に工夫を凝らして、総合的美観を高めてきた。
【考案の開示】
【考案が解決しようとする課題】
【０００３】
ところが、椀蓋の摘については、蓋本体部の頂部に蓋本体部と一体の円筒状突起が設けられているだけであった。
これは、元来の食器類が焼物に由来し、陶磁製食器類はロクロ成形が主流であり、円筒状突起はロクロ成形が容易な形であることから、陶磁製食器類の脚部の形として定着し、これが木製になってもそのまま踏襲され、更には椀と一対の椀蓋の摘の形も同じとなり、現在ではプラスチック製の蓋付椀が主流となっているが、やはり成型時の型抜きが容易なことから、またもやその形が継承され、何らの工夫もされないまま現在に至るものと推察される。
【課題を解決するための手段】
【０００４】
本考案は、椀蓋の摘が画一形状であるため、趣なく美観を損なう、との課題に鑑み、椀と椀蓋とから成る蓋付椀であって、蓋本体部の上面に凹孔を穿設し、該凹孔に摘を嵌着して椀蓋と成し、蓋本体部と摘を別体にすることによって、個別に成型可能にして、複雑形状の摘に対応容易にすると共に、摘を取替え可能にして、デザイン展開を拡張し、従前の画一形状の摘からの脱却を図る。
【考案の効果】
【０００５】
要するに本考案は、椀と椀蓋とから成る蓋付椀であって、蓋本体部の上面に凹孔を穿設し、該凹孔に摘を嵌着して椀蓋としたので、摘だけを複数種類用意すれば、摘を取り替えるだけで、椀全体の雰囲気を様々に変更することが出来る。
又、嵌着孔が凹孔で、椀蓋下面に貫通してなく、椀に注いだ汁などその内容物がしみ込まないから、従前通りの方法で綺麗に洗浄することが出来る。
【０００６】
一般に、プラスチック製の複雑な形状の物品の成形では、成形後の型抜きを可能にするため、複数に分割展開可能な高価な金型を使用し、これによる射出成形方法を採択するのが通例であるが、仮に蓋本体部と摘が一体であれば、摘の形状毎に椀蓋全体を成形する金型が必要で、各形状一つの金型では製造効率が悪く、かといって金型と成形機を数多く用意すると、コスト高となり、また成形空間部を複数設けた金型にすれば、一度に多くを成形できるが、この場合金型が大きくなり、これに見合った成形機も必要となって、やはり製造コストが嵩んで、採算が合わずに現実的ではない。
【０００７】
しかしながら、本発明では、蓋本体部と摘が別体であるため、夫々個別に対応でき、例えば蓋本体部は一つの金型で成形し、一方、摘については、成形空間部を複数設けた金型を利用し、同一形状の摘を一度に複数成形したり、一の金型に形状異なる摘の成形空間部を複数設けて、異形の摘を同時に成形する様にすれば、効率よく成形でき、製造コストの低減をはかることが出来る。
尚、摘は小さいので、成形空間部を複数設けた金型でも、大型化はせず、コスト高もくならない。
又、蓋本体部と摘を夫々複数種類用意すれば、様々に組合わせることで、低コストに抑えたまま、多くのバリエーション展開を図ることが出来る。
【０００８】
摘本体部の下端にピン部を垂下突設して摘と成し、前記ピン部を上記凹孔に嵌着したので、摘本体部と摘の結合をピン部が負うから、摘本体部の形状についての制約が緩和されて、様々なデザインの採択が可能である。
【０００９】
ピン部の基端に鍔部を設けたので、摘本体部と摘の結合が安定するから、更に制約が緩和されて、より広範のデザインの採択が可能である等その実用的効果甚だ大である。
【考案を実施するための最良の形態】
【００１０】
以下本考案の一実施形態について図面に基づき説明する。
図１に示す様に、本考案の蓋付椀は、椀１と、その上端開口部に被せ置く椀蓋２とから成り、椀蓋２は、蓋本体部３の上面に凹孔４を穿設し、該凹孔４に摘５を嵌着して形成されている。
【００１１】
摘５の形状は特に限定せず、図１及び２に示す様に、摘５全体を鳥居の様な形やアーチ形等の門形とし、一方、蓋本体部３の凹孔４を複数とし、かかる凹孔４に門形の摘５の脚部を嵌着しても良いし、或いは、図３及び４に示す様に、摘本体部６の下端にピン部７を垂下突設すると共に、該ピン部７の基端に鍔部８を周設して摘５と成し、ピン部７を蓋本体部３の凹孔４に嵌着する様にしても良い。
【００１２】
ピン部７を有する摘５にあっては、摘本体部６や鍔部８の形状も種々変更可能であり、例えば、図３に示す様に、かぶら形頭部９の下部に胴部10を設けて摘本体部６と成し、該胴部10の下端にピン部７を突設し、また図４の（ａ）〜（ｄ）に示す様に、摘本体部６の全体を涙滴形（ａ）や球形（ｂ）にし、球形の摘本体部６の下部に円錐形の鍔部８を設け、該鍔部８の下端にピン部７を突設し（ｃ）、或いは、摘本体部６を棒状（ｄ）にしても良く、要するに、蓋本体部３の凹孔４に嵌着可能なピン部７を下端に有し、嵌着状態を安定させるために、ピン部７の基端に鍔部８が設けられておれば良い。
【図面の簡単な説明】
【００１３】
【図１】椀蓋に門形の摘を設けた蓋付椀の概略断面図である。
【図２】同上蓋付椀の他例の概略断面図である。
【図３】ピン部を有する摘を椀蓋に設けた蓋付椀の概略断面図である。
【図４】図３の摘の他例を示す図であり、（ａ）〜（ｄ）の各段左は正面図、右は底面図である。
【符号の説明】
【００１４】
１  椀
２  椀蓋
３  蓋本体部
４  凹孔
５  摘
６  摘本体部
７  ピン部
８  鍔部
９  頭部
10  胴部
【図１】
0003125340.tif 000003
【図２】
0003125340.tif 000004
【図３】
0003125340.tif 000005
【図４】
0003125340.tif 000006
(57)【要約】【課題】従来の帽子は、長時間冠ると前髪が額にはり付いた状態となり、前髪の髪型が乱れることが避けられなかった。特に女性にとって、帽子着用による日焼け防止と、ヘアースタイルの維持とが相反するため、重要な問題であった。【解決手段】前髪を額からリフトさせた状態で帽子を冠ることができれば、上記問題が軽減される。この前髪リフターは、中央部が指の太さ程あって弾力性があり、U字型となって頭の前半周に収まる程の長さを有する。この前髪リフターを前髪の生え際に当て、その上から前髪を出した状態で帽子を冠ると、前髪が額からリフトした状態を長時間保つことができる。【選択図】図１
0003125343.tif 000002
【実用新案登録請求の範囲】
【請求項１】
紡錘型若しくはヘアバンド型に成形されるなる芯材と、前記芯材全体を包み込む表面材と、前記芯材および前記表面材の両端に取り付け部分を有してなることを特徴とする前髪リフター。
【請求項２】
帽子内の相対する２箇所に上記前髪リフターの取り付け部を装着することを特徴とする請求項１に記載の前髪リフター。
【考案の詳細な説明】
【技術分野】
【０００１】
この考案は前髪リフターつきの帽子に関する。
【背景技術】
【０００２】
従来の帽子は、普通に冠ると、前髪が額に押し付けられる。
【考案の開示】
【考案が解決しようとする課題】
【０００３】
すなわち、従来の帽子を長時間冠ると、前髪が額に張り付き、前髪の髪形が乱れてしまう不具合があった。
【課題を解決するための手段】
【０００４】
本考案は、かかる問題を解決するために考案したものであり、その目的は帽子を冠った際の前髪を額から浮かせた、リフト状態を保ち、前髪の髪形の乱れを軽減するための前髪リフターを提供することにある。
【特許文献１】登録実用新案第３０６８６３８号
【特許文献２】登録実用新案第３０８１７２２号
【考案の効果】
【０００５】
本考案の前髪リフターを使用する事で、長時間帽子を冠った場合でも前髪リフト効果により、 前髪の額への張り付きが防止され、前髪の髪形の乱れが軽減される。
【考案を実施するための最良の形態】
【０００６】
本考案の実施形態を、図１および図２に図示して、以下説明する。
本考案に係る前髪リフターAは、細長い紡錘状の弾力性のある芯材１と、同芯材１を覆う柔らかい表面材２、および同表面材２両端の伸縮性のある取り付け部３から構成されている。
【実施例】
【０００７】
図１、図２に図示する前髪リフターAの芯材１には、布、不織布、ウレタンフォーム、スポンジ、軟質ゴム、などの弾力性のあるものを用い、紡錘型に成形した。中心部の太さは1.5〜2.5センチメートル程度とした。表面材２は、布、不織布、など肌触りの良いものを用い、芯材１全体を覆う。取り付け部３は、ゴムひもやゴムベルトなどの伸縮性のあるものを用いた。
さらに図１に図示の前髪リフターAの取り付け部３を、帽子Bの内側下縁に固定した。取り付け部の固定手段としては縫着、ボタン止め、ホック止め、面ファスナー止め、などとした。
【０００８】
また、プラスチックやハガネなどをU字型ヘアバンド状に成形し、前髪リフターAの芯材として、前記芯材１を表面材２でこれを覆うことにより、取り付け部３を省略した前髪リフターの実施形態とすることができる。
【０００９】
つぎに図３（a）に図示するように、帽子Bを冠り、前髪リフターAを額に下げ、ここで前髪を前髪リフターAとツバとの間から出し、続いて図３（b）に図示するように、前髪リフターAを帽子内部の髪の生え際まで押し込むようにして帽子Bを冠る。
この前髪リフターAにより、前髪が額よりリフトさせた状態を維持したまま帽子を冠ることが可能となり、帽子を脱いだとき、 前髪の額への張り付きが防止され、 前髪の髪型の乱れが軽減される。
【図面の簡単な説明】
【００１０】
【図１】前髪リフターを帽子への取り付けた際の鳥瞰図である。
【図２】前髪リフターの縦断面図である。
【図３】本考案に係る前髪リフターの装着状況を示す説明図である。
【符号の説明】
【００１１】
１  芯材
２  表面材
３  取り付け部
A  前髪リフター
B  帽子
【図１】
0003125343.tif 000003
【図２】
0003125343.tif 000004
【図３】
0003125343.tif 000005
(57)【要約】【課題】ネット状ポケットを前後に二分して前部と後部に使い分けるようにする。【解決手段】弾力性を有するネット（２１，２２）を車体に固定してなる車両用ネット製ドアポケット（２）である。前記ネット（２１，２２）は上部が開放されたフレーム（５）により底部及び両側部が固定されると共に背部が車体により閉鎖されてなるものであって、前記ネット（２１，２２）が二重に形成されている。その結果、ドアポケット（２）は前部（３１）と後部（３２）に二分されている。前記二重のネット（２１，２２）は、車内側を車体側よりも高く設定するのが好ましい。【選択図】図３
0003125342.tif 000002
【実用新案登録請求の範囲】
【請求項１】
弾力性を有するネット（２１，２２）を車体に固定してなる車両用ドアポケット（２）であって、前記ネット（２１，２２）は上部が開放されたフレーム（５）により底部及び両側部が固定されると共に、背部が車体により閉鎖されてなるものであって、
前記ネット（２１，２２）が二重に形成されていて、前記ドアポケット（２）が前部（３１）と後部（３２）に二分されたポケット（３）を有することを特徴とする車両用製ドアポケット。
【請求項２】
前記二重のネット（２１，２２）は、車内側ネット（２１）が車体側ネット（２２）よりも高く設定されている請求項１記載の車両用ネット製ドアポケット。
【請求項３】
前記二重のネット（２１，２２）が２枚のネットからなる請求項１又は２記載の車両用ネット製ドアポケット。
【請求項４】
前記二重のネット（２１，２２）が１枚のネットを２枚に折り畳んで形成されたものである請求項１又は２記載の車両用ネット製ドアポケット。
【考案の詳細な説明】
【技術分野】
【０００１】
本考案は、自動車等の車内に固定されたネット製ドアポケットに関する。
【背景技術】
【０００２】
自動車の車内には、小物を収容するためのポケットが常設されている。例えば、ドアトリムの表面下側に設置されるネット製のドアポケットや自動車の座席の凭れ部の背部に設けられるものがよく知られている。
【０００３】
下記特許文献１は、自動車の座席の凭れ部の背部に取り付けられる車両用ネット製ポケットの一例である。
【特許文献１】実用新案登録第３０５８７９９号
【考案の開示】
【考案が解決しようとする課題】
【０００４】
ポケットに収容する小物は、雑誌、新聞、地図、びんや缶入りの飲み物、菓子袋等、厚みや高さの異なるものが多い。従来技術のように収容個所が１種類しかないポケットはこれらの収容に不向きである。
【０００５】
そこで本考案では、ネット状ポケットを前後に二分して前部と後部に使い分けるようにすることを目的とする。
【課題を解決するための手段】
【０００６】
本考案は、弾力性を有するネットを車体に固定してなる車両用ドアネット製ポケットであって、前記ネットは上部が開放されたフレームにより底部及び両側部が固定されると共に、背部が車体により閉鎖されてなるものであって、前記ネットが二重に形成されていて、ドアポケット部が前部と後部に二分されたポケットを有することを特徴とする。
【考案の効果】
【０００７】
本考案は、ポケットが前部と後部に二分されているので、二重のネットの間に形成される前部ポケットと、後部ネットと車体の間に形成される後部ポケットの２種類の収納空間が形成される。これらの空間には、厚みや壊れやすさが異なる収容物を選択して収納することができる。
【０００８】
例えば、後部ポケットは、車体側を窪ませることで、幅広の収納スペースを得ることができ、厚みのある収容物に向いている。二重のネットに挟まれた前部ポケットの収容物は、弾力性のある２枚のネットにより挟まれるため比較的にしっかり保持されるので、破損しやすいものの収容に向いている。
【考案を実施するための最良の形態】
【０００９】
二重のネットは、車内側を車体側よりも高くするのが好ましい。運転中など、ネットを直視しなくても手探りで車内側ネットに手を掛けて前部ポケットを使用することができるからである。
【００１０】
ネットを二重にするには、ネットを２枚並べておくことができるのはもちろん、１枚のネットを中央で折り畳んでもよい。
【実施例１】
【００１１】
以下、添付の図面に基づき、本考案の実施例を説明する。
【００１２】
図１は、自動車のドアトリム１の表面下側に設置されるネット製のドアポケット２の斜視図であり、小物４を収容した状態である。図２は裏側から見た斜視図である。図３は、その縦断面図である。
【００１３】
これらの図から明らかなように、このドアポケット２は弾力性のある二重のネット２１，２２を有する。そのため、このドアポケット２は、二重のネット２１，２２の間に形成される前部ポケット３１と、後部ネット２２と車体１の間に形成される後部ポケット３２の２種類のポケット３を有する。
【００１４】
後部ポケット３２は、車体側を窪ませることで、幅広の収納スペースを得ることができ、厚みのある収容物４２に向いている。前部ポケット３１の収容物は、弾力性のある２枚のネット２１，２２により比較的にしっかり保持されるので、薄いもの４１や破損しやすいものの収容に向いている。
【００１５】
図２に示すように、二重のネット２１，２２はフレーム５により、底部及び両側部が車体（ここではドアトリム１）に対して、ねじ、ビス６、等で固定されており、上部のみ開放されている。
【００１６】
ネットを二重にするには、この例のようにネットを２枚並べてフレーム５で押さえてもよいし、図示しないが、１枚のネットをフレーム底部で折り畳んでもよい。
【００１７】
図３に示すように、二重になったネット部２１，２２は、車内側ネット２１が車体側ネット２２よりも高くなっている。運転中など、ネットを直視しなくても手探りで車内側ネットに手を掛けて前部ポケットを使用することができる。
【図面の簡単な説明】
【００１８】
【図１】自動車のドアトリムの表面下側に設置されるネット製のドアポケットの斜視図である。
【図２】同上のドアポケットを裏側から見た斜視図である。
【図３】同上のドアポケットの縦断面図である。
【符号の説明】
【００１９】
１     ドアトリム
２     ドアポケット
２１   車内側ネット
２２   車体側ネット
３     ポケット
３１   前部ポケット
３２   後部ポケット
４     小物
４１   背の低い小物
４２   背の高い小物
５     フレーム
６     ビス
【図１】
0003125342.tif 000003
【図２】
0003125342.tif 000004
【図３】
0003125342.tif 000005
(57)【要約】      （修正有）【課題】本来、ワンピースのゴルフウエアーは、現在ではあまり、販売されていない。スポーツウエアーに洋服の生地を使用することは機能的に望ましくないが、それを敢えて使用し、おしゃれを楽しみながら、機能的で動きやすいウエアーを提供する。【解決手段】おしゃれな、洋服生地を使い、伸縮性の高いリブ布を挟み込み、上体の運動がスムースになり、マジックテープ（登録商標）を使って、短時間でトイレを済ませることが出来るようにした。【選択図】図１
0003125397.tif 000002
【実用新案登録請求の範囲】
【請求項１】
現在市場に売られている女性用のゴルフウエアーは、運動のし易さだけが目的のシャツにパンツかスカートかキュロットスカートの組合せが主である。
ファッション的にも美しく、ゴルフの動きに適応できるキュロットスカートのワンピースを綺麗な服地を使い、袖つけに伸縮布を挟み込みおしゃれなゴルフウエアーをつくります。
【請求項２】
ワンピースの後ろ身頃の背中心に伸縮布を挟み込み、より動き易くします。
【請求項３】
プレイ中に、短時間でトイレを済ませる為、キュロットスカートの股部分にマジックテープを使い、開閉が簡単に出来るようにします。
【考案の詳細な説明】
【技術分野】本ウエアーは女性がゴルフをするにあたりファション性の高い洋服地を使用し、袖つけと背と袖口に伸縮性のあるリブ布を挟み、運動量を良くし、股下部分の開閉をマジックテープを使い簡単にした。
【背景技術】従来のゴルフウエアーは、運動性ばかりで、シャツにパンツしか、売られていて、機能的で肴る人も、見る人も楽しめるファショナブルなゴルフウエアーが売られていない。
【考案の開示】
【考案が解決しようとする課題】
【０００１】ゴルフが男性と同じグランドで出来る時代になり、しかもテレビ時代になって殆どのトーナメントの放映など盛んになっても、相変わらずの、シャツとパンツのゴルフウエアーで、スポーツといえど、芝生に映え、おしゃれなしかもゴルフの動きがスムースに出来る事、又ホールとホールの間の短時間にトイレを済ませることの出来るウエアーにする。
【課題を解決する為の手段】
【０００２】ファッション性の高い洋服地を使い、ワンピースでも動きがスムースにする為に、袖つけ、背中に伸縮性の高い布をつかい、キュロトスカートの股部分にマジックテープで開閉を簡単にした。
【考案の効果】
【０００３】ワンピースのゴルフウエアーは、女性の美しさを強調する足も出せ見た目もファショナブルで、ゴルフの動きがスムースに出来、またトイレも簡単に済ますことができる。
【実施例】洋服地は、伸縮性に欠けるが、袖付け、背中心のマチ部分、袖口に伸縮性のあるリブ布を挟み、股部分に開閉便利なマジックテープを使い、見た目はファッショナブルで機能性が高い。
【図面の簡単な説明】キュロットワンピースの後ろ身頃と、スカートの股部分です。【図１】ワンピースの後身頃にリブ布を挟みこんだ平面図です。
【図２】クラッチ部分にマジックテープをつけた図です。
【符号の説明】
１  ワンピース本体
２  リブ布挟み込み部分
３  マジックテープ取り付け部分
【図１】
0003125397.tif 000003
【図２】
0003125397.tif 000004
【手続補正書】
【提出日】平成18年6月2日(2006.6.2)
【手続補正１】
【補正対象書類名】実用新案登録請求の範囲
【補正対象項目名】全文
【補正方法】変更
【補正の内容】
【実用新案登録請求の範囲】
【請求項１】
ファッショナブルな洋服生地を使い袖つけ、背中心、スカートのクロッチ部分に運動機能性に優れた布等を加えた形状を有するゴルフ用ワンピースにおいて  （１）腕の動きをスムースにする為袖付部分に伸縮布を挟み込む  （２）背中心にタックをいれ伸縮布を挟みこむ  （３）スカートのクロッチ部分を面ファスナーで開閉自由にする以上の構成からなる機能的でファッショナブルな女性用ゴルフワンピース
【手続補正３】
【補正対象書類名】明細書
【補正対象項目名】全文
【補正方法】変更
【補正の内容】
【考案の詳細な説明】
【技術分野】本ウェアーは女性がゴルフをするにあたりファッション性の高い洋服地を使用し、袖付けと背中心と袖口に伸縮性のあるリブ布を挟み、運動量を良くし、股下部分の開閉を面ファスナーを使い簡単にする。
【背景技術】従来のゴルフウエアーは、運動性ばかりで、シャツにパンツ等が売られているが、機能的で着る人も、見る人も楽しめるファショナブルな、ワンピースのゴルフウエアーが売られていない。
【考案の開示】
【考案が解決しようとする課題】
【０００１】ゴルフが男性と同じグランドで出来る時代になり、しかもテレビ時代になって殆どのトーナメントの放映など盛んになっても、相変わらずの、シャツとパンツのゴルフウエアーで、スポーツといえど、芝生に映え、おしゃれなしかもゴルフの動きがスムースに出来る事、又ホールとホールの間の短時間にトイレを済ませることの出来るウエアーにする。
【課題を解決する為の手段】
【０００２】ファッション性の高い洋服地を使い、ワンピースでも動きがスムースにする為に、袖つけ、袖口、背中に伸縮性の高い布を使い、キュロットスカートの股部分に、面ファースナーで開閉を簡単にした。
【考案の効果】
【０００３】ワンピースのゴルフウエアーは、女性の美しさを強調する足もだせて、見た目もファッショナブルで、ゴルフの動きがスムースにでき、またトイレも短時間で済ますことができる。
【実施例】洋服地は、伸縮性に欠けるが、袖つけ、背中心、袖口に伸縮性のあるリブ布を挟み、股部分に開閉便利な面ファスナーを使い、見た目はファッショナブルで機能性が高い。
【図面の簡単な説明】キュロットワンピースの後ろ身頃と、スカートの股部分です。【図１】ワンピースの後ろ身頃にリブ布を挟み込んだ平面図です。
【図２】クロッチ部分に面ファースナーをつけた図です。
【符号の説明】
１  ワンピース本体２  リブ布挟み込み部分３  面ファスナー取り付け部分
【手続補正４】
【補正対象書類名】図面
【補正対象項目名】全図
【補正方法】変更
【補正の内容】
【図１】
0003125397.tif 000005
【図２】
0003125397.tif 000006
(57)【要約】      （修正有）【課題】手袋をはめてスポンジを持った状態では食器洗い等に手間と時間がかかるという不都合の解消。【解決手段】  手袋（ゴム手袋）６とスポンジ４を一体化させこれらを貼り合わせる事７により、作業を効率かさせる。【選択図】図１
0003125394.tif 000002
【実用新案登録請求の範囲】
【請求項１】
手袋（ゴム手袋）に直接スポンジとナイロン不織布またはメラミンフォ−ムを貼り付けた、手袋とスポンジの一体化による手袋付きスポンジ道具。
【考案の詳細な説明】
【技術分野】
【０００１】  本考案は、手袋に関するものであり、手袋（ゴム手袋）にスポンジを貼り付けることで、手荒れを防ぎ素早く食器等を洗えるようにした。
【背景技術】
【０００２】  従来は、ゴム手袋とスポンジはそれぞれ１個の物であり、スポンジを手で持ち、握った状態で作業をした。（図３）
【考案の開示】
【考案が解決しようとする課題】
【０００３】  しかし、これでは力は入るが、細かい所を洗うのに時間を用したり、持っていたスポンジを落としてしまったり、素手でスポンジを持って洗い物の作業をすると、手荒れもひどく女性にとっては大変な作業であった。
【課題を解決するための手段】
【０００４】  そこで、手袋とスポンジの一体化により、手指を自由に使って、食器に手の平と１本１本の指を密着させて洗うことにより、広い範囲を素早く隅々まできれいに汚れを落とせることができると思い、考案した。（図１）また、手荒れも防ぐことができる。
【考案の効果】
【０００５】  よって、本考案により、食器洗い、風呂場、窓拭き、トイレ、くつ等の隅々まで用途に応じて使い分けることができ、片手に手袋をはめてスポンジに液をたらすだけ（液のいらないスポンジを使用してもよい）なので、指の使い方と力の加減を変えるだけで、様々な場所がきれいになり効率的に家事をこなすことができる。また、大量に食器を洗う飲食業等では食器洗機にかける前に一度食器の汚れを落とすので、泡立ちよく使い勝手もよい手袋付きスポンジで、時間を稼ぐこともできる。
【考案を実施するための最良の形態】
【０００６】  本考案に係わる手袋付きスポンジは、図１に示すように、手袋の手指と手の平にスポンジを貼り付けている。手袋はゴム手袋を使用し、薄く切ったスポンジ（図２）を手の５本指の周りと手の平側に強力な接着剤で貼る。スポンジは柔らかい面とざらざらした面（ナイロン不織布）があるので、必要に応じて指５本とも柔らかい面やざらざらした面、各指交互に柔らかい面とざらざらした面を貼り付ける方法も取り入れる。また、手の平に大きめなスポンジを貼り付けてもよい。ゴム手袋付きスポンジは薄手と厚手、Ｓ，Ｍ，Ｌ、ＬＬと用途に合わせて作る。また、左右作る事で右、左利きと用途に応じて使い分ける事ができ、スポンジと手袋の色も様々な色を使い楽しめるようにする。さらに、、メラミンフォ−ムを使用すると使い捨ても作る事ができる。
【図面の簡単な説明】
【０００７】
【図１】  本考案に係る手袋付きスポンジを、手袋にスポンジを貼り付けた状態の図である。
【図２】  ざらざら面（ナイロン不織布）とスポンジ面との断面図である。
【図３】  従来の手袋とスポンジが別個の状態の図である。
【符号の説明】
【０００８】    １      手の平側
２      手の甲側
３      手首
４      スポンジ面
５      ザラザラ面（ナイロン不織布）
６      ゴム手袋（手袋）
７      ゴム手袋付きスポンジ（手袋付きスポンジ）
【図１】
0003125394.tif 000003
【図２】
0003125394.tif 000004
【図３】
0003125394.tif 000005
【手続補正書】
【提出日】平成18年6月14日(2006.6.14)
【手続補正１】
【補正対象書類名】実用新案登録請求の範囲
【補正対象項目名】全文
【補正方法】変更
【補正の内容】
【実用新案登録請求の範囲】
【請求項１】
ゴム手袋に直接スポンジとナイロン不織布またはメラミンフォ−ムを貼り付けたゴム手袋とスポンジの一体化によるゴム手袋付きスポンジ道具。
(57)【要約】 【課題】 従来の単なるメッセージ用紙ではなく、色彩の心理効果を利用し言葉と共に書き手の感情を伝達すること。【解決手段】本考案は上記の課題を解決するために、色彩の心理に基づく各色彩の情動を表現する文章が予め印刷された文章カードとこれに対応し、且つ同一色彩でしかもメッセージを記入するカードとして成し色彩を通じ、その感情を伝達する色彩感覚教材カード。【選択図】    図２
0003125399.tif 000002
【実用新案登録請求の範囲】
【請求項１】
色彩の心理に基づく各色彩の情動を表現する文章が予め印刷された文章カードとこれに
対応し、且つ同一色彩でしかもその色の持つ情動を表現するメッセージを記入するカードで成したことを特徴とした色彩感覚教材カード。
【請求項２】
文章カードに該当する色彩と同一の色名、記号等の部分表示を成したことを
特徴とした請求項１記載の色彩感覚教材カード。
【考案の詳細な説明】
【技術分野】
【０００１】
本考案は色彩が人に与える感情効果を利用して相互のコミュニケーション能力を高めることを目的とする色彩感覚教材カードに関する。
【０００２】
一般に用件を伝達する場合、白地、柄物、色物等の紙片に文字を記載して行っている。
それらは、単に用件や言葉づらが伝わるのみで、無味乾燥であり書き手が抱く感情面までを届けることは難しかった。
【考案の開示】
【考案が解決しようとする課題】
【０００３】
従来の単なるメッセージ用紙ではなく、色彩の心理効果を利用し言葉と共に書き手の感情を伝達すること。
【課題を解決するための手段】
【０００４】
本考案は上記の課題を解決するために、色彩が表現する心理に基づく各色彩の情動を表現する文章が予め印刷された文章カードとこれに対応し、かつ同一色彩でしかもメッセージを記入するカードとして成し色彩を通じ、その感情を伝達する色彩感覚教材カード。
【考案の効果】
【０００５】
（1）請求項1により、用紙の色彩を高彩度にすることにより、高明度の用紙では表現が難しかった書き手の感情を言葉と共に伝えることができる。 
また、巻頭には色彩が与える感情効果、表現例などの解説を添付することで色彩について知識のない書き手にも十分に色彩の持つ効果を使いメッセージを伝えることへの助力となりうる。
更に読み手に関する、このカードのメッセージ理解度について、書き手と同様に色彩の持つ意味合いを理解しておく必要は無い。色彩は頭で理解するものではなく、目に映った時に湧き上がる感情が示す為である。
かつ、言葉だけでは伝わりにくい感情のひだ、手紙で例えると文章の行間が表すものを言葉で表現するよりも効果的に伝えることができる。
（2）請求項2により、特に色は、単に目に映るだけではなく、目から入った色刺激が電気信号となり脳の視床下部へ伝わる。そこでホルモンの質と量が決定されホルモン分泌が始まることにより心身の状態が変化する為、人の感情に訴える文章となる。
勿論、近年の癒しブームで色彩の効果についての認知度も以前と比べると高まってきたとは感じられるが、興味の域を出ず、色の効果を実践する人はまだまだ少ない。
この考案で若い世代から色の効果を遊び感覚で取り入れることにより、一般にも広めて
いくきっかけとなる。
【考案を実施するための最良の形態】
【０００６】
以下本考案実施例の図面に基づいて説明する。
図1は、文章カード1の正面図であって色彩の心理に基づく各色彩が与える感情効果を表現する文章1が印刷されている。
また、実施例の図面においては、その色彩を協調することの為に赤の単語を記している。
そして、文章カード1の四周には同一色彩をイメージし2（斜線）としても良い。
勿論、上記文章1は、図1の裏面に記しても良い。
図2は、メッセージを記すカードを示している。このメッセージは文章カード1と同一色彩でしかもその色の持つ感情を表現している。
勿論、文章カード1と同様にメッセージを裏面に記しても良い。
【図面の簡単な説明】
【０００７】
【図１】本考案の文章カードの正面図。
【図２】本考案のメッセージカードの正面図。
【符号の説明】
【０００８】
１．色彩心理に関する解説文章
２．解説文章が示す色彩
３．メッセージ記載例
４．解説文章が示す色彩のメッセージ用紙
【図１】
0003125399.tif 000003
【図２】
0003125399.tif 000004
【手続補正書】
【提出日】平成18年7月6日(2006.7.6)
【手続補正１】
【補正対象書類名】実用新案登録請求の範囲
【補正対象項目名】全文
【補正方法】変更
【補正の内容】
【実用新案登録請求の範囲】
【請求項１】
メモ用紙において、伝えたい内容をより鮮明に伝達する為に高彩度色紙を使用した長方形の色彩感覚教材カード。
【請求項２】
高彩度色が人の感情にうったえる心理効果について色彩心理分析に特に知識の無い者にも容易に理解できるように解説文を添付した請求項１に記載した色彩感覚教材カード。
【手続補正書】
【提出日】平成18年7月6日(2006.7.6)
【手続補正１】
【補正対象書類名】明細書
【補正対象項目名】０００５
【補正方法】変更
【補正の内容】
【０００５】
（1）請求項1により、用紙の色彩を高彩度にすることで、高明度の用紙では表現が難しかった書き手の感情を言葉と共に伝えることができる。
また、巻頭には色彩が与える感情効果、表現例などの解説を添付することで色彩について知識のない書き手にも十分に色彩の持つ効果を使いメッセージを伝えることへの助力となりうる。
更に読み手に関する、このカードのメッセージ理解度について、書き手と同様に色彩の持つ意味合いを理解しておく必要は無い。色彩は頭で理解するものではなく、目に映った時に湧き上がる感情が示す為である。
かつ、言葉だけでは伝わりにくい感情のひだ、手紙で例えると文章の行間が表すものを言葉で表現するよりも効果的に伝えることができる。
（2）請求項2により、特に色は、単に目に映るだけではなく、目から入った色刺激が電気信号となり脳の視床下部へ伝わる。そこでホルモンの質と量が決定されホルモン分泌が始まることにより心身の状態が変化する為、人の感情に訴える文章となる。
勿論、近年の癒しブームで色彩の効果についての認知度も以前と比べると高まってきたとは感じられるが、興味の域を出ず、色の効果を実践する人はまだまだ少ない。
この考案で若い世代から色の効果を遊び感覚で取り入れることにより、一般にも広めて
いくきっかけとなる。
(57)【要約】      （修正有）【課題】衣類と車体をアースさせる事により静電気の発生を抑制する。【解決手段】シートにアース体を取り付け一方を車体にアースする事により静電気の発生の抑制に役立つ。【選択図】図１
0003125393.tif 000002
【実用新案登録請求の範囲】
【請求項１】
衣類と車体間のアースを取ることにより静電気の抑制を目的としたアース本体。
【考案の詳細な説明】
【技術分野】
【０００１】本考案は乗車時に衣類と車体間にアースを取り静電気の防止に関するものである。
【背景技術】
【０００２】自動車に乗車時に車体と衣類をアースさせる。
【考案の開示】
【考案が解決しようとする課題】
【０００３】自動車から降りるとき又は車内の金属部に触れたときに放電する静電気を軽減し身体的苦痛、電子機器の破損を軽減するものである。
【課題を解決するための手段】
【０００４】本考案は自動車シートの表面にアース体を取りつけ、衣類と車体にアースを取り静電気の発生を抑制することにより問題を解決している。
【考案の効果】
【０００５】上述の様に、本考案のシートアースは静電気の発生を抑制することが出来る。
【考案を実施するための最良の形態】
【０００６】アース線の片方はシートに自在に取り付け、もう一方は車体側にアースできる。
【実施例】
【０００７】以下、添付図面に従って一実例を説明する。シート表面に付けるアース体とアース線
【図面の簡単な説明】
【０００８】
【図１】本考案のシートアースの一実例を示す正面図である。
【符号の説明】
【０００９】１  アース体
２  アース線
【図１】
0003125393.tif 000003
【手続補正書】
【提出日】平成18年6月10日(2006.6.10)
【手続補正１】
【補正対象書類名】実用新案登録請求の範囲
【補正対象項目名】全文
【補正方法】変更
【補正の内容】
【実用新案登録請求の範囲】
【請求項１】
車両のシート表面に貼り付け出来る板状のアース板と、アース板と車体を導通させるアース線をアース板に取りつけた形状で、アース板はシートにアース線の一方は車体にアースさせる構造である、衣服とアース板を導通させアース板に取り付けたアース線により、衣服に発生した静電気を導き車体にアース線の一方を取り付け車体にアースを取りアース板に取り込んだ静電気を車体に放電させる、衣類と車体間のアースを取ることにより静電気の抑制を目的としたシートアース。
(57)【要約】【課題】マスク、又は鼻腔に、ティシュ、ペーパーを詰めていた、不快感の解消。【解決手段】鼻腔に、柔軟な材質のＵ字型の止め具に筒状のフイルターを合体させる。フイルターの表面には軟らかい加工したものを仕用する。【選択図】図１
0003125392.tif 000002
【実用新案登録請求の範囲】
【請求項１】
三層構造の筒状フイルターに中間層に，目的に応じた物を入れ、Ｕ字型の止め具と合体した物を特徴とする花粉防止具。
【考案の詳細な説明】
【技術分野】
【０００１】鼻腔に装着する花粉防止具に関する
【背景技術】
【０００２】マスク、又は鼻腔に、ティシュ、ペーパーを詰めて防いだ。
【考案の開示】
【考案が解決しようとする課題】
【０００３】マスク、又は鼻腔に、ティシュ、ペーパーを詰めていた、不快感の解消。
【課題を解決するための手段】鼻腔に、柔軟な材質のＵ字型の止め具に筒状のフイルターを合体させる。フイルターの表面には軟らかい加工したものを仕用する。
【考案の効果】
【０００４】従来ようにティシュペーパーなど仕用せず、清潔に又安全に鼻からの呼吸をするため，鼻に物を詰める違和感を解消する。
【実施例】
【０００５】花粉やタバコの匂いなどの悪臭、工事現場での粉塵アスベスト、光化学スモッグ、病原菌のウイルスなどの鼻腔からの進入を防ぐ。
【図面の簡単な説明】
【０００６】
【図１】花粉防止具の全体図（図１−ア）鼻腔に入れた状態、予想図（図１−イ）花粉防止具だけの図形
【図２】（図２のウ）図１−イ、符号Ａの部分説明図面，鼻の穴や年齢に合わせサイズを決め作成する。（図２のエ）図１−イ、符号Ｂの部分説明図面，安全なもので作り，穴の幅，Ａのサイズに合わせ作成する，尚，突起部分は，滑り止メ（図２−オ）図１−ウのＡ表面図，表面に１ミリ前後の毛と適度の穴がある。
【符号の説明】
【０００７】図１イ、図２ウ、の１，３はスポンジ、又はフイルター部分
図１イ、図２ウ、の２は活性炭、又は癒し系の香料。
【図１】
0003125392.tif 000003
【図２】
0003125392.tif 000004
【手続補正書】
【提出日】平成18年4月13日(2006.4.13)
【手続補正１】
【補正対象書類名】実用新案登録請求の範囲
【補正対象項目名】全文
【補正方法】変更
【補正の内容】
【実用新案登録請求の範囲】
【請求項１】
直径１０ミリ〜１３ミリで三層構造の長さ５ミリ〜７ミリの筒状フイルターにおいて、中間層に活性炭又は癒し系香料を入れて鼻腔から落ちないように，Ｕ字型の滑り止め具を合体した花粉防止具。
(57)【要約】【課題】杖を立てかける保持具を装着するのに、平面な一定の面積を必要とし、装着場所に制限があった。又、適応できる杖の太さにも制限があった。【解決手段】裏が粘着性のマジックテープを用い、什器に装着する部分１と、杖を受ける部分２を組み合わせる。マジックテープは、装着面に沿って変形が可能なため、装着場所の制限が減る。又、杖を受ける部分も自在に変形でき、杖の太さを制限しない。以上２点で従来の課題を解決する。【選択図】図１
0003125398.tif 000002
【実用新案登録請求の範囲】
【請求項１】
什器に貼る部分と、杖を受ける部分とを組み合わせて作られた、どんな太さの杖にも対応できる、マジックテープ製の杖の立てかけ保持具。
【考案の詳細な説明】
【技術分野】
【００１】  本考案は、杖を立てかけた時、転ばないように、マジックテープで保持するものである。
【背景技術】
【００２】  従来、杖を立てかけるための保持具として、やわらかい素材で作られたものや、磁石を使った製品はあった。又、椅子やテーブルに杖を立てかける部分が造設されているものもある。
【考案が解決しようとする課題】
【００３】  しかし、従来の保持具は、取り付け部分が、平面な、一定の面積を必要とし、適応する場所に制限があった。又、対応できる杖の太さにも制限があった。
【課題を解決するための手段】
【００４】  そこで、什器側と杖に、それぞれマジックテープを貼り、簡単に杖が保持できるようにした。什器と杖との接着面を広くし、保持力を強化するために、又、いろんな太さの杖に対応できるよう、什器側のマジックテープ内に、杖にあわせ、形状を変えられるよう、ワイヤーを組み込んだ。
【考案の効果】
【００５】  本考案は、裏が粘着性のマジックテープを使用するので、什器が必ずしも平面である必要はなく、筒状のもの、例えば、手すりや車椅子にも装着が可能である。又、杖を受ける部分は、変形が自在になるので、どんな太さの杖にも対応できる。
【考案を実施するための最良の形態】
【００６】  什器側はマジックテープのメスを使って作製し、什器に貼る部分１と、杖を受ける部分２からなる。２にはワイヤーが内蔵されているので、杖に合わせ形を変えることができる。杖側のマジックテープはオスを使用し、各自の杖に貼ってもらう。
【図面の簡単な説明】
【００７】
【図１】本考案の什器側の斜面図である。
【図２】本考案の杖に貼る側の正面図である。
【図３】本考案を椅子などで使用する時の断面図である。
【図４】本考案を筒状のものに使用する時の断面図である。
【符号の説明】
【００８】１      什器に貼る部分
２      杖を受ける部分
３      杖に貼るテープ
【図１】
0003125398.tif 000003
【図２】
0003125398.tif 000004
【図３】
0003125398.tif 000005
【図４】
0003125398.tif 000006
【手続補正書】
【提出日】平成18年6月13日(2006.6.13)
【手続補正１】
【補正対象書類名】実用新案登録請求の範囲
【補正対象項目名】全文
【補正方法】変更
【補正の内容】
【実用新案登録請求の範囲】
【請求項１】
裏が粘着性になっているテープ（１）の表面に、ワイヤーを内蔵させた面ファスナー（２）を装着した、杖の立てかけ保持具
【手続補正２】
【補正対象書類名】明細書
【補正対象項目名】全文
【補正方法】変更
【補正の内容】
【考案の詳細な説明】
【技術分野】
【００１】  本考案は、杖を立てかけた時、転ばないように、面ファスナー保持するものである。
【技術背景】
【００２】  従来、杖を立てかけるための保持具として、やわらかい素材で作られたものや、磁石を使った製品はあった。又、椅子やテーブルに杖を立てかける部分が造設されている物もある。
【考案が解決しようとする課題】
【００３】  しかし、従来の保持具は、取り付け部分が、平面な、一定の面積を必要とし、適応する場所に制限があった。又、対応できる杖の太さにも制限があった。
【課題を解決するための手段】
【００４】  本考案は、裏が粘着性のテープの表に、ワイヤーを内蔵させ曲げ伸ばしができるようにした面ファスナーを装着し、杖を受ける部分を作る。そして、杖側には相方の面ファスナーを貼り、互いを接着するものである。
【考案の効果】
【００５】  本考案は、取り付け部に、裏が粘着性のテープを使用するので、什器が必ずしも平面である必要はなく、筒状のもの、例えば手すりや車椅子にも装着が可能である。又、杖を受ける部分は、変形が自在になるので、どんな太さの杖にも対応ができる。
【考案を実施するための最良の形態】
【００６】  ワイヤー内蔵の面ファスナー部（２）を、杖を受け止めやすい形に曲げてから、（１）の粘着面を覆っていた紙テープをはがし、杖を立てかける所の什器に装着する。そして、相方の面ファスナーを杖に貼っておいて、互いを接着させることで、杖が立てかけられる。
【図面の簡単な説明】
【００７】
【図１】  本考案の長方形型の斜面図である。
【図２】  本考案の正方形型の正面図である。
【図３】  本考案の杖に貼る側の正面図である。
【図４】  本考案を椅子などで使用する時の断面図である。
【図５】  本考案を筒状のものに使用する時の断面図である。
【符号の説明】
【００８】  １      什器に貼る部分
２      杖を受ける部分
３      杖に貼る面ファスナー
【手続補正３】
【補正対象書類名】図面
【補正対象項目名】全図
【補正方法】変更
【補正の内容】
【図１】
0003125398.tif 000007
【図２】
0003125398.tif 000008
【図３】
0003125398.tif 000009
【図４】
0003125398.tif 000010
【図５】
0003125398.tif 000011